(57)【要約】【課題】  目の不自由なユーザであっても、所望する位置に原稿ガイドを位置決めできるようにする。【解決手段】  各種サイズの原稿を載置する載置台８と、この載置台８に載置された原稿を被供給部に供給する搬送機構７と、載置台８に載置される各種サイズの原稿の載置位置を表示する複数の突起状の表示部１５ａ〜１５ｅと、載置台８に原稿の供給方向に対し交差する方向に移動自在に設けられ、載置された原稿を揃えてその供給をガイドする原稿ガイド１２と、この原稿ガイド１２に設けられ、原稿ガイド１２の移動により複数のうちの所望する表示部１５ａ（〜１５ｅ）に対向することにより原稿ガイド１２を所望する表示部１５ａ（〜１５ｅ）に位置決めする位置決め用の突起部１２とを具備する。【選択図】      図３
2006052073.tif 000002
【特許請求の範囲】
【請求項１】
各種サイズの媒体を載置する載置部と、
この載置部に載置された媒体を被供給部に供給する供給手段と、
前記載置部に載置される各種サイズの媒体の載置位置を表示する複数の突起状の表示部と、
前記載置部に前記媒体の供給方向に対し交差する方向に移動自在に設けられ、載置された媒体を揃えてその供給をガイドする媒体ガイドと、
この媒体ガイドに設けられ、前記媒体ガイドの移動により前記複数のうちの所望する表示部に対向することにより前記媒体ガイドを前記所望する表示部に位置決めする位置決め用の突起部と
を具備することを特徴とする媒体供給装置。
【請求項２】
前記突起状の表示部は前記媒体ガイドの上面部に設けられたことを特徴とする請求項１記載の媒体供給装置。
【請求項３】
前記複数の突起状の表示部はライン状をなし、前記媒体ガイドの移動方向に所定間隔を存して平行に突出成形されたことを特徴とする請求項１記載の媒体供給装置。
【請求項４】
前記媒体ガイドの位置決め用の突起部はライン状をなし、前記突起状の表示部に対向されたときには、前記位置決め用の突起部及び前記突起状の表示部は一直線上に沿って配列されることを特徴とする請求項１記載の媒体供給装置。
【請求項５】
前記位置決め用の突起部と前記突起状の表示部とはその高さ寸法を略同一にすることを特徴とする請求項１記載の媒体供給装置。
【発明の詳細な説明】
【技術分野】
【０００１】
本発明は、例えば画像形成装置に備えられ、原稿や用紙等の媒体を被供給部に供給する媒体供給装置に関する。
【背景技術】
【０００２】
この種の媒体供給装置には、例えば原稿自動送り装置がある。
【０００３】
この原稿自動送り装置は画像形成装置の本体上面部の原稿ガラス上に設けられ、原稿を原稿ガラス上に自動的に搬送するようになっている。
【０００４】
原稿自動送り装置は、原稿を載置する原稿載置台と、この原稿載置台に載置される各種サイズの原稿の載置位置を表示する複数の表示部と、原稿載置台に原稿の搬送方向に対し直交する方向に移動自在に設けられ、原稿を正しい姿勢で供給できるようにその側面部を揃えるとともに、原稿の送りをガイドする原稿ガイドとを備えている（例えば、特許文献１参照。）。
【特許文献１】特開平１０−３５９５６号公報
【発明の開示】
【発明が解決しようとする課題】
【０００５】
しかしながら、従来においては、原稿の載置位置を表示する表示部がその形成面に対して面一の状態で形成されていたため、目の不自由なユーザの場合には、所望する表示部を識別することが難しく、原稿ガイドを所望する表示部に位置決めすることができないという問題があった。
【０００６】
本発明は上記事情に着目してなされたもので、その目的とするところは、目の不自由なユーザの場合であっても、所望する表示部に原稿ガイドを容易に位置決めできるようにした媒体供給装置を提供することにある。
【課題を解決するための手段】
【０００７】
上記課題を解決するため、請求項１記載のものは、各種サイズの媒体を載置する載置部と、この載置部に載置された媒体を被供給部に供給する供給手段と、前記載置部に載置される各種サイズの媒体の載置位置を表示する複数の突起状の表示部と、前記載置部に前記媒体の供給方向に対し交差する方向に移動自在に設けられ、載置された媒体を揃えてその供給をガイドする媒体ガイドと、この媒体ガイドに設けられ、前記媒体ガイドの移動により前記複数のうちの所望する突表示部に対向することにより前記媒体ガイドを前記所望する表示部に位置決めする位置決め用の突起部とを具備することを特徴とする。
【発明の効果】
【０００８】
本発明によれば、媒体の載置位置を表示する表示部に対し媒体ガイドを目視ではなく、触覚によって位置決めでき、目の不自由なユーザであっても媒体ガイドの位置決めが容易になるという効果を奏する。
【発明を実施するための最良の形態】
【０００９】
以下、本発明を図面に示す実施の形態を参照して詳細に説明する。
【００１０】
図１は、本発明の一実施の形態である画像形成装置としてのデジタル複写装置を示す外観斜視図である。
【００１１】
デジタル複写装置は装置本体１を備え、この装置本体１の上面部には媒体としての原稿を載置するための原稿ガラス（図示しない）が設けられている。原稿ガラス上には原稿を自動的に原稿ガラス上に送る自動原稿送り装置２が設けられている。
【００１２】
自動原稿送り装置２の前方部には操作部３が設けられ、操作部３にはコピーボタン３ａ、テンキー３ｂ、情報表示窓３ｃ等が配設されている。
【００１３】
装置本体１内には公知の画像形成機構（図示しない）が設けられている。画像形成機構は原稿ガラスにセットされた原稿の画像を読取る画像読取部（スキャナ）、この画像読取部（スキャナ）によって読み取られた画像情報に基づいて感光体ドラムを露光して静電潜像を形成する露光部、この露光部によって形成された静電潜像にトナーを供給して現像する現像部、この現像部で現像されたトナー像を用紙に転写する転写部を有して構成されている。
【００１４】
装置本体１内の下部側には各種サイズの用紙を給紙するための複数段の給紙カセット４ａ〜４ｄが配設されている。給紙カセット４ａにはＡ４サイズの用紙が収納され、給紙カセット４ｂにはＢ５サイズの用紙が収納される。給紙カセット４ｃにはＢ４サイズの用紙が収納され、給紙カセット４ｄにはＡ３サイズの用紙が収納される。
【００１５】
また、装置本体１の一側面側には、画像が形成されて排出される用紙を受ける排紙トレー６が設けられ、他側面側には、用紙を手差しさせる手差し給紙トレー（図示しない）が設けられている。
【００１６】
上記給紙カセット４ａ〜４ｄ，或いは手差し給紙トレーから供給される用紙は感光体ドラムと転写部との間に搬送されて感光体ドラム上のトナー像が転写されたのち、排紙トレー６上に排紙されるようになっている。
【００１７】
次に、上記した自動原稿送り装置２について詳しく述べる。
【００１８】
図２は、自動原稿送り装置２を示す斜視図である。
【００１９】
自動原稿送り装置２は、原稿Ｇを載置する原稿載置台８と、この原稿載置台８に載置された原稿を取込んで原稿ガラス上に搬送したのち、原稿ガラス上から搬出させる供給手段としての搬送機構７と、この搬送機構７によって搬出される原稿を受ける原稿受け部９と、原稿載置台８に載置される原稿の載置位置を表示する表示手段１０とを有して構成されている。
【００２０】
また、原稿載置台８には、原稿の送り方向に対して直交する方向に移動自在に一対の媒体ガイドとしての原稿ガイド１２，１３が離間対向する状態で設けられている。一対の原稿ガイド１２，１３は原稿載置台８に載置された原稿を正しい姿勢で送れるように揃えるとともに、その送りをガイドするものである。一対の原稿ガイド１２,１３は互いに接離する方向に移動するようになっている。
【００２１】
表示手段１０は図３に示すように各種サイズの原稿の載置位置を表示する第１乃至第５の表示部１５ａ〜１５ｅを有している。第１の表示部１５ａは縦置きＡ４サイズの原稿と、横置きＡ３サイズの原稿の載置位置を表示するものである。
【００２２】
第２の表示部１５ｂは縦置きＢ５サイズの原稿と、横置きＢ４サイズの原稿の載置位置を表示するものである。第３の表示部１５ｃは横置きＡ４サイズの原稿の載置位置、第４の表示部１５ｄは横置きＢ５サイズの原稿の載置位置、第５の表示部１５ｅは横置きＡ５サイズの原稿の載置位置を表示するものである。
【００２３】
第１乃至第５の表示部１５ａ〜１５ｅは突起状をなし、原稿ガイド１２の移動方向に所定間隔を存して平行にライン状に突出成形されている。
【００２４】
また、原稿ガイド１２の上面部には位置決め用の突起部１８が一体的にライン状に突出成形されている。この位置決め用の突起部１８と第１乃至第５の表示部１５ａ〜１５ｅの高さ寸法は略同一の高さ寸法となっている。
【００２５】
次に、上記した原稿ガイド１２を所望する表示部１５ａ（〜１５ｅ）に位置決めする場合について説明する。
【００２６】
例えば、Ｂ５サイズの原稿を横置きでセットする場合には、まず、原稿ガイド１２を例えば、図３に示すように第４の表示部１５ｄの外側に位置させた状態でＢ５サイズの原稿を横置きで原稿載置台８上にセットする。この状態から原稿ガイド１２を矢印方向に移動させ、図４に示すようにその突起部１８の端部を第４の表示部１５ｄの端部に対向させて第４の表示部１５ｄと突起部１８とを一直線上に位置させる。これにより、原稿ガイド１２がＢ５サイズの原稿を横置きでセットするセット位置に位置決めされることになる。
【００２７】
上記したように、この実施の形態によれば、原稿の載置位置を表示する表示部１５ａ〜１５ｅを突起状に形成するとともに、原稿ガイド１２に位置決め用の突起部１８を形成し、所望するサイズの原稿の載置位置を表示する表示部１５ａ（〜１５ｅ）の端部に対して位置決め用の突起部１８の端部を近接対向させて一致させることにより原稿ガイド１２を位置決めするため、目の不自由なユーザであっても突起状の表示部１５ａ（〜１５ｅ）と位置決め用の突起部１８との一致を触覚によって識別でき原稿ガイド１２の位置決め作業が容易になる。
【００２８】
また、突起状の表示部１５ａ〜１５ｅ及び位置決め用の突起部１８をライン状に形成すし、その高さ寸法を略同一寸法にするため、突起状の表示部１５ａ〜１５ｅと位置決め用の突起部１８に対してユーザの指先をスムーズに沿わせることができ、その一致を容易に識別することができる。
【００２９】
図５は本発明の他の実施形態である原稿ガイド２１を示す斜視図である。
【００３０】
この原稿ガイド２１はその先端側上面部に保持部２２を一体的に形成し、この保持部２２の上面部に位置決め用の突起部２３を設けている。保持部２２は原稿載置台８に載置される所定枚数の原稿をその上面部側から押圧保持してその浮き上がりを規制するものである。
【００３１】
また、上記実施の形態では、媒体供給装置を原稿送り装置２に適用したが、これに限られることなく、手差し給紙部に適用しても良く、また、給紙カセット４ａ〜４ｄに適用するようにしても良い。
【００３２】
また、上記した実施の形態では、第１乃至第５の表示部１５ａ〜１５ｅの長さを同一寸法にしたが、これに限られることなく、第１乃至第５の表示部１５ａ〜１５ｅの長さ寸法をそれぞれ異ならせてもよい。これにより、第１乃至第５の表示部１５ａ〜１５ｅが表示する原稿サイズをより一層識別し易くすることができる。
【００３３】
さらに、第１乃至第５の表示部１５ａ〜１５ｅの近傍に点字を形成し、この点字により第１乃至第５の表示部１５ａ〜１５ｅが表示する原稿サイズを認識させるようにしても良い。
【００３４】
その他、本発明は、その要旨の範囲内で種々変形実施可能なことは勿論である。
【図面の簡単な説明】
【００３５】
【図１】本発明の一実施の形態である画像形成装置を示す外観斜視図。
【図２】同画像形成装置の自動原稿供給装置を示す斜視図。
【図３】同自動原稿供給装置の原稿ガイドを示す斜視図。
【図４】同原稿ガイドを移動させて位置決めした状態を示す斜視図。
【図５】原稿ガイドの他の実施形態を示す斜視図。
【符号の説明】
【００３６】
Ｇ…原稿（媒体）、７…搬送機構（供給手段）、８…載置台（載置部）、１５ａ〜１５ｅ…表示部、１２…原稿ガイド（媒体ガイド）、１８，２３…位置決め用の突起部。
【図１】
2006052073.tif 000003
【図２】
2006052073.tif 000004
【図３】
2006052073.tif 000005
【図４】
2006052073.tif 000006
【図５】
2006052073.tif 000007